(57)【特許請求の範囲】
【請求項１】
ユーザが画像を閲覧するための画像閲覧装置であって、
前記ユーザが乗り物内の複数の座席の一つの座席に乗る場合に前記ユーザにより携帯された無線通信タグとの無線通信を行うことにより、前記無線通信タグから前記ユーザを示すユーザ識別子を取得する第１無線通信部と、
前記第１無線通信部が前記無線通信タグから前記ユーザ識別子を取得した場合、前記乗り物を示す乗り物番号と前記一つの座席を示す座席番号とを前記取得に基づいて特定し、前記ユーザ識別子と前記乗り物番号と前記座席番号とを関連付けて保存し、第１のカメラが前記ユーザと前記乗り物内の前記複数の座席を含む第１の範囲を撮影することにより生成される第１の画像を、前記保存されている前記ユーザ識別子と前記乗り物番号と前記座席番号とに関連付けて保存する管理部と、
前記ユーザが前記乗り物を降りた後に前記無線通信タグとの無線通信を行うことにより、前記無線通信タグから前記ユーザ識別子を取得する第２無線通信部と、
前記第１の画像を取得して表示し、前記第２無線通信部が前記無線通信タグから前記ユーザ識別子を取得した場合、前記ユーザ識別子に関連付けられた前記座席番号を取得し、前記第１の画像内で前記座席番号に予め関連付けられた位置を取得し、前記第１の画像内の前記位置の強調表示を行う表示部と
を備える画像閲覧装置。
【請求項２】
請求項１に記載の画像閲覧装置において、
前記表示部は、前記第１の範囲より狭く前記一つの座席を含む第２の範囲を示す第２の画像を取得し、前記ユーザ識別子と前記第２の画像とを関連付け、前記第２無線通信部が前記無線通信タグから前記ユーザ識別子を取得した場合、前記ユーザ識別子に関連付けられた前記第２の画像を取得し、前記第２の画像の表示を行うことを特徴とする画像閲覧装置。
【請求項３】
請求項２に記載の画像閲覧装置において、
前記第２の画像は、第２のカメラが前記第２の範囲を撮影することにより生成されることを特徴とする画像閲覧装置。
【請求項４】
請求項２に記載の画像閲覧装置において、
前記表示部は、前記第１の画像内の前記位置の拡大を行うことにより前記第２の画像を生成し、該第２の画像の表示を行うことを特徴とする画像閲覧装置。
【請求項５】
請求項２乃至請求項４のいずれかに記載の画像閲覧装置において、
前記第２無線通信部は、複数備えられ、それぞれ異なる無線通信タグとの通信を行うことができ、
前記表示部は、前記第２無線通信部毎に異なる表現方法を用いて、前記強調表示を行うことを特徴とする画像閲覧装置。
【請求項６】
請求項５に記載の画像閲覧装置において、
前記表示部は、前記複数の第２無線通信部のうち前記ユーザ識別子を取得した第２無線通信部の位置に予め関連付けられた画面上の位置に前記第２の画像の表示を行うことを特徴とする画像閲覧装置。
【請求項７】
ユーザが画像閲覧装置を用いて画像を閲覧するための画像閲覧方法であって、
前記ユーザが乗り物内の複数の座席の一つの座席に乗る場合に第１無線通信部が前記ユーザにより携帯された無線通信タグとの無線通信を行うことにより、前記無線通信タグから前記ユーザを示すユーザ識別子を取得する第１無線通信ステップと、
前記第１無線通信部が前記無線通信タグから前記ユーザ識別子を取得した場合、前記乗り物を示す乗り物番号と前記一つの座席を示す座席番号とを前記取得に基づいて特定し、前記ユーザ識別子と前記乗り物番号と前記座席番号とを関連付けて保存し、第１のカメラが前記ユーザと前記乗り物内の前記複数の座席を含む第１の範囲を撮影することにより生成される第１の画像を、前記保存されている前記ユーザ識別子と前記乗り物番号と前記座席番号とに関連付けて保存する管理ステップと、
前記ユーザが前記乗り物を降りた後に第２無線通信部が前記無線通信タグとの無線通信を行うことにより、前記無線通信タグから前記ユーザ識別子を取得する第２無線通信ステップと、
前記第１の画像を取得して表示し、前記第２無線通信部が前記無線通信タグから前記ユーザ識別子を取得した場合、前記ユーザ識別子に関連付けられた前記座席番号を取得し、前記第１の範囲内で前記座席番号に予め関連付けられた位置を取得し、前記第１の画像内の前記位置の強調表示を行う表示ステップと
を実行する画像閲覧方法。
【請求項８】
請求項７に記載の画像閲覧方法において、
前記第２無線通信ステップは、前記画像閲覧装置に複数備えられた前記第２無線通信部を用いることにより、前記第２無線通信部毎に異なる無線通信タグとの通信を行うことができ、
前記表示ステップは、前記第２無線通信部毎に異なる表現方法を用いて、前記強調表示を行うことを特徴とする画像閲覧方法。
【請求項９】
請求項７または請求項８に記載の画像閲覧方法において、
更に、前記表示ステップの後、前記第１の画像の購入のための決済を行う決済ステップを実行することを特徴とする画像閲覧方法。
【請求項１０】
ユーザが画像を閲覧するための画像閲覧プログラムであって、
前記ユーザが乗り物内の複数の座席の一つの座席に乗る場合に第１無線通信部が前記ユーザにより携帯された無線通信タグとの無線通信を行うことにより、前記無線通信タグから前記ユーザを示すユーザ識別子を取得する第１無線通信ステップと、
前記第１無線通信部が前記無線通信タグから前記ユーザ識別子を取得した場合、前記乗り物を示す乗り物番号と前記一つの座席を示す座席番号とを前記取得に基づいて特定し、前記ユーザ識別子と前記乗り物番号と前記座席番号とを関連付けて保存し、第１のカメラが前記ユーザと前記乗り物内の前記複数の座席を含む第１の範囲を撮影することにより生成される第１の画像を、前記保存されている前記ユーザ識別子と前記乗り物番号と前記座席番号とに関連付けて保存する管理ステップと、
前記ユーザが前記乗り物を降りた後に第２無線通信部が前記無線通信タグとの無線通信を行うことにより、前記無線通信タグから前記ユーザ識別子を取得する第２無線通信ステップと、
前記第１の画像を取得して表示し、前記第２無線通信部が前記無線通信タグから前記ユーザ識別子を取得した場合、前記ユーザ識別子に関連付けられた前記座席番号を取得し、前記第１の範囲内で前記座席番号に予め関連付けられた位置を取得し、前記第１の画像内の前記位置の強調表示を行う表示ステップと
をコンピュータに実行させる画像閲覧プログラム。
【発明の詳細な説明】
【技術分野】
【０００１】
本発明は、撮影された画像をユーザが閲覧するための画像閲覧装置、画像閲覧方法、画像閲覧プログラム、画像閲覧システムに関するものである。
【背景技術】
【０００２】
近年、遊園地やテーマパークにおいて、ユーザが乗り物に乗っているところ撮影し、その場で撮影した写真を売るサービスが行われている。ユーザが乗り物を降りたところに撮影された複数の画像が並べられ、ユーザはその複数の画像の中で自分が写っている画像を確認し、その画像が印刷されたものを購入する。【０００３】
なお、本発明の関連ある従来技術として、テーマパークの画像撮影装置がある（例えば、特許文献１参照）。これは、識別のためのＩＤカードをユーザに配布しておき、テーマパーク内の複数のカメラで撮影した画像をＩＤとともに保存し、ＩＤで画像を検索することによりアルバムを作成するものである。
【特許文献１】特開２００１−１７７７５０号公報
【発明の開示】
【発明が解決しようとする課題】
【０００４】
しかしながら、上述したサービスにおいては、画像は乗り物単位で撮影され、撮影された複数の画像が並べて表示されているだけであり、ユーザは多くの人が写った画像の中から自分が写っている画像を探す必要があることから、自分がどの画像に写っているかが簡単には分からない。また、乗り物全体の画像であることから画像内においてユーザが写っている部分の解像度は低い。更に、写真は高額であることから、写真が購入される確率が低いという問題がある。また、特許文献１の技術は、複数箇所で撮影された画像をまとめて閲覧や購入を行うためのものであり、撮影後、直ちに画像の確認や購入を行うことができない。【０００５】
本発明は上述した問題点を解決するためになされたものであり、画像に写っている個人の特定を容易にする画像閲覧装置、画像閲覧方法、画像閲覧プログラム、画像閲覧システムを提供することを目的とする。
【課題を解決するための手段】
【０００６】
上述した課題を解決するため、本発明は、ユーザが画像を閲覧するための画像閲覧装置であって、近接された無線通信タグとの無線通信を行う無線通信部と、予め撮影された第１の画像を表示し、前記第１の画像内において予め前記無線通信タグと関連付けられた位置の強調表示を行う表示部とを備えたものである。【０００７】
また、本発明に係る画像閲覧装置において、前記無線通信部は、複数備えられ、それぞれ異なる無線通信タグとの通信を行うことができ、前記表示部は、前記無線通信部毎に異なる表現方法を用いて、前記強調表示を行うことを特徴とするものである。【０００８】
また、本発明に係る画像閲覧装置において、前記表示部は、前記無線通信タグと関連付けられた位置に対応する第２の画像の表示を行うことを特徴とするものである。【０００９】
また、本発明に係る画像閲覧装置において、前記表示部は、前記第１の画像内の前記無線通信タグと関連付けられた位置の拡大を行うことにより第２の画像を生成し、該第２の画像の表示を行うことを特徴とするものである。【００１０】
また、本発明に係る画像閲覧装置において、前記表示部は、前記無線通信部の位置に対応する位置に、前記第２の画像の表示を行うことを特徴とするものである。【００１１】
また、本発明に係る画像閲覧装置において、前記第１の画像は、ユーザの座席を含む複数の座席を撮影したものであり、前記第２の画像は、前記第１の画像より狭く、ユーザの座席を含む範囲を撮影したものであり、予め前記無線通信タグと関連付けられた位置は、ユーザの座席であることを特徴とするものである。【００１２】
また、本発明に係る画像閲覧装置において、前記無線通信部は、複数備えられ、画像の表示指示を行うための無線通信部と、画像の購入指示を行うための無線通信部とに割り当てられることを特徴とするものである。【００１３】
また、本発明に係る画像閲覧装置において、更に、画像の購入のための決済の指示を行う決済指示部を備えることを特徴とするものである。【００１４】
また、本発明に係る画像閲覧装置において、更に、画像を外部へ出力する画像出力部を備えることを特徴とするものである。【００１５】
また、本発明に係る前記異なる表現方法は、異なる色であることを特徴とするものである。【００１６】
また、本発明は、ユーザが画像閲覧装置を用いて画像を閲覧するための画像閲覧方法であって、第１の画像の撮影を行うと共に、前記第１の画像と前記撮影の対象の位置と無線通信タグとの関連付けを行う撮影ステップと、前記画像閲覧装置において、近接された前記無線通信タグとの無線通信を行う無線通信ステップと、前記画像閲覧装置において、前記撮影ステップにより撮影された第１の画像を表示すると共に、前記第１の画像内において前記撮影ステップにより前記無線通信タグと関連付けられた位置の強調表示を行う表示ステップとを実行するものである。【００１７】
また、本発明に係る画像閲覧方法において、前記無線通信ステップは、前記画像閲覧装置に複数備えられた無線通信部を用いることにより、前記無線通信部毎に異なる無線通信タグとの通信を行うことができ、前記表示ステップは、前記無線通信部毎に異なる表現方法を用いて、前記強調表示を行うことを特徴とするものである。【００１８】
また、本発明に係る画像閲覧方法において、前記表示ステップは、前記無線通信タグと関連付けられた位置に対応する第２の画像の表示を行うことを特徴とするものである。【００１９】
また、本発明に係る画像閲覧方法において、前記表示ステップは、前記第１の画像内の前記無線通信タグと関連付けられた位置の拡大を行うことにより第２の画像を生成し、該第２の画像の表示を行うことを特徴とするものである。【００２０】
また、本発明に係る画像閲覧方法において、前記第１の画像は、ユーザの座席を含む複数の座席を撮影したものであり、前記第２の画像は、前記第１の画像より狭く、ユーザの座席を含む範囲を撮影したものであり、予め前記無線通信タグと関連付けられた位置は、ユーザの座席であることを特徴とするものである。【００２１】
また、本発明に係る画像閲覧方法において、更に、表示ステップの後、画像の購入のための決済を行う決済ステップを実行することを特徴とするものである。【００２２】
また、本発明に係る画像閲覧方法において、更に、決済ステップの後、画像を外部へ出力する画像出力ステップを実行することを特徴とするものである。【００２３】
また、本発明は、ユーザが画像を閲覧するためにコンピュータに実行される画像閲覧プログラムであって、近接された無線通信タグとの無線通信を行う無線通信ステップと、予め撮影された第１の画像を表示し、前記第１の画像内において予め前記無線通信タグと関連付けられた位置の強調表示を行う表示ステップとをコンピュータに実行させるものである。【００２４】
また、本発明は、ユーザが画像閲覧装置を用いて画像を閲覧するための画像閲覧システムであって、第１の画像と前記第１の画像の対象の位置と無線通信タグとの関連付けを行う画像管理部と、近接された前記無線通信タグとの無線通信を行う無線通信部と、前記画像管理部により関連付けが行われた第１の画像を表示すると共に、前記第１の画像内において前記無線通信タグと関連付けられた位置の強調表示を行う表示部とを備えるものである。【００２５】
また、本発明に係る画像閲覧システムにおいて、更に、画像の購入のための決済を行う決済部を備えることを特徴とするものである。
【図面の簡単な説明】
【００２６】
【図１】本実施の形態に係る画像閲覧システムの構成の一例を示すブロック図である。
【図２】本実施の形態に係る画像閲覧システムの動作の一例を示すフローチャートである。
【図３】本実施の形態に係るＩＤリーダの配置の一例を示す図である。
【図４】本実施の形態に係る画像撮影装置の配置の一例を示す図である。
【図５】本実施の形態に係る画像情報の一例を示す表である。
【図６】本実施の形態に係る全体画像の表示の一例を示す画面である。
【図７】本実施の形態に係る強調表示の一例を示す画面である。
【図８】本実施の形態に係る複数のユーザに対する強調表示の画像の一例を示す画面である。
【図９】本実施の形態に係る画像購入処理の動作の一例を示すフローチャートである。
【発明を実施するための最良の形態】
【００２７】
以下、本発明の実施の形態について図面を参照しつつ説明する。【００２８】
まず、本実施の形態に係る画像閲覧システムの構成について説明する。【００２９】
図１は、本実施の形態に係る画像閲覧システムの構成の一例を示すブロック図である。この画像閲覧システムは、ＩＤリーダ１１、画像撮影装置１２、画像管理装置２１、画像閲覧装置２２、決済装置２３、画像印刷装置２４を備える。【００３０】
それぞれ固有のユーザＩＤを持つＩＤカードが予めユーザに渡される。ＩＤカードは、無線通信タグである。無線通信タグとは例えば、非接触ＩＣカードや非接触ＩＣカード搭載携帯電話である。ユーザがグループに属する場合、予め同じグループのユーザが持つＩＤカードにグループＩＤが設定される。【００３１】
ＩＤリーダ１１は、無線通信タグのリーダの機能を持つ。また、ユーザが乗車する乗り物４３は、ＩＤリーダ１１が設置された乗り場から出発し、画像撮影装置１２の撮影範囲を通過し、画像閲覧装置２２が設置された降り場へ到着する。【００３２】
画像閲覧装置２２は、制御部５１、複数の無線通信部５２、表示部５３を備える。表示部５３の最下端は、複数の無線通信部５２に接している。また、表示部５３は、例えばタッチパネルであり、ユーザからの入力を受け付ける機能を持つ。【００３３】
次に、本実施の形態に係る画像閲覧システムの動作について説明する。図２は、本実施の形態に係る画像閲覧システムの動作の一例を示すフローチャートである。まず、ユーザがＩＤカードをＩＤリーダ１１にかざすことにより、ＩＤリーダ１１はＩＤカードに含まれるユーザＩＤを取得する（Ｓ１１）。図３は、本実施の形態に係るＩＤリーダ１１の配置の一例を示す図である。ＩＤリーダ１１は、乗り物の乗り場に設置される。乗り物の座席の列が複数である場合、列毎の乗車口にＩＤリーダ１１が設置される。また、ユーザが乗車口から乗り物に乗車する際、ユーザはＩＤカードをＩＤリーダ１１にかざす必要がある。本実施の形態において、乗り物の前後に４列の座席を持ち、１列は４個の座席を持つ。また、ユーザの座席位置を正確に把握するために、乗り場の列毎に座席数分（４個）のＩＤリーダ１１を設置しても良いし、乗り物の座席毎にＩＤリーダ１１を設置しても良い。【００３４】
次に、画像管理装置２１は、ＩＤリーダ１１により取得されたユーザＩＤを乗り物番号と座席番号に対応づけて保存する（Ｓ１２）。ここで、画像管理装置２１は、ユーザの乗車時に、乗り物番号を特定し、ユーザＩＤを取得したＩＤリーダ１１を特定し、そのＩＤリーダ１１でユーザＩＤが取得された順番を特定することにより、ユーザの乗り物番号と座席番号を取得する。【００３５】
次に、乗り物が画像撮影装置１２の撮影範囲を通過する際、画像撮影装置１２が乗り物４３とユーザを含む画像を撮影すると、画像管理装置２１は画像撮影装置１２により撮影された画像を保存するとともに、乗り物番号、その乗り物に乗っているユーザのユーザＩＤと座席番号を画像と関連付け、画像情報として保存する（Ｓ１３）。【００３６】
ここで、撮影について説明する。図４は、本実施の形態に係る画像撮影装置の配置の一例を示す図である。本実施の形態において、画像撮影装置１２は、乗り物全体を撮影する１台のカメラ６１とカメラ６１よりも拡大して撮影する４台のカメラ６２，６３，６４，６５からなる。カメラ６２，６３，６４，６５は、それぞれ異なる列の座席を撮影する。画像管理装置２１は、乗り物位置特定装置１３を用いて乗り物が画像撮影装置１２の撮影範囲を通過するタイミングを検出し、画像撮影装置１２に撮影の指示を行う。【００３７】
なお、カメラ６２，６３，６４，６５を用いずに、画像管理装置２１がカメラ６１により撮影された乗り物全体の画像を拡大して各列を拡大した画像を生成してもよい。このとき、カメラ６１により撮影された乗り物全体の画像は、拡大に十分な解像度を持つものとする。また、撮影する画像は、静止画像でも動画像でも良い。画像が動画像である場合、それぞれのカメラを首振りなどの移動を行わせ、乗り物に追従させるようにしてもよい。【００３８】
ここで、画像情報について説明する。図５は、本実施の形態に係る画像情報の一例を示す表である。画像情報は、画像ごとのエントリを持ち、項目として、画像番号、乗り物番号、座席番号、ユーザＩＤ、グループＩＤ、購入仕様を持つ。画像番号は、撮影時に割り当てられる。乗り物番号、座席番号、ユーザＩＤ、グループＩＤは、乗車時に取得される。購入仕様は、後述する画像購入処理により取得される。【００３９】
次に、画像閲覧装置２２の制御部５１は、画像管理装置２１から撮影された画像のうち全体画像とその画像情報を取得し、取得した画像を表示部５３の上部に表示させる（Ｓ１４）。図６は、本実施の形態に係る全体画像の表示の一例を示す画面である。制御部５１は、表示部５３の最下端において、表示指示のために用いる無線通信部５２の位置に接する場所に、「表示」の文字を表示させる。更に、表示の文字には、対応する無線通信部５２毎に固有の表現方法が割り当てられる。表現方法とは、例えば、異なる色で表示する、異なる線で囲う、等である。この図の例では、２つの無線通信部５２を実線と破線に分けて表示している。また、ユーザが画像閲覧装置２１に到着するタイミングにあわせて、ユーザＩＤに対応する乗り物の全体が撮影された画像が全体画像として表示される。なお、全体画像として、複数の乗り物の全体が撮影された全体画像が表示されても良い。【００４０】
次に、制御部５１は、所定の期間内に、ユーザによりＩＤカードが表示指示用の無線通信部５２にかざされたか否かの判断を行う（Ｓ１５）。所定の期間内にかざされなかった場合（Ｓ１５，Ｎ）、このフローを終了する。一方、所定の期間内にかざされた場合（Ｓ１５，Ｙ）、制御部５１は、無線通信部５２によりＩＤカードのユーザＩＤを取得し、そのユーザＩＤを持つ画像情報を取得し、表示部５３の上部に表示された乗り物全体の画像において画像情報をもとに特定される座席を強調表示するとともに、表示部５３の下部に画像情報をもとに特定される座席の座席画像を取得し、表示する（Ｓ１６）。ここで、全体画像と座席画像は、異なる画像であっても良いし、全体画像のうちユーザＩＤに対応する座席の位置を拡大して座席画像を生成しても良い。なお、ユーザＩＤの他にグループＩＤが設定されている場合、制御部５１は、そのグループＩＤを持つ画像情報と画像を取得し、表示する。【００４１】
図７は、本実施の形態に係る強調表示の一例を示す画面である。図６と比較すると、上部の全体画像中のユーザの位置に強調表示が行われ、下部にユーザが拡大された座席画像が追加され、最下端には購入指示用の無線通信部５２を示す表示が追加される。また、座席画像は、ＩＤカードがかざされた無線通信部５２に接する位置に表示される。これらの強調表示、座席画像、購入指示用の表示は、図６と同様、ＩＤカードがかざされた無線通信部５２に割り当てられている表現方法（色、線など）が用いられる。【００４２】
更に、複数の所定の無線通信部５２に異なるＩＤカードがかざされると、無線通信部５２に対応する色で対応する座席を強調表示する。これらの強調表示、座席画像、購入指示用の表示は、図６、図７と同様、ＩＤカードがかざされた無線通信部５２に割り当てられている表現方法（色、線など）が用いられる。図８は、本実施の形態に係る複数のユーザに対する強調表示の画像の一例を示す画面である。ここでは、実線と破線に分けて表示している。強調表示の方法は、ユーザが区別できるものであれば、他の方法でも良い。図７と比較すると、上部の全体画像中に別の強調表示が追加され、下部に別のユーザが拡大された座席画像が追加され、最下端にはこのユーザ用に購入指示用の無線通信部５２の位置を示す「購入」の文字が追加される。【００４３】
次に、制御部５１は、所定の期間内に、ユーザによりＩＤカードが所定の購入指示用の無線通信部５２にかざされたか否かの判断を行う（Ｓ１７）。所定の期間内にかざされなかった場合（Ｓ１７，Ｎ）、このフローを終了する。一方、所定の期間内にかざされた場合（Ｓ１７，Ｙ）、表示部５３に表示された画像の画像購入処理を行い（Ｓ１８）、このフローを終了する。【００４４】
上述した画像閲覧システムの動作によれば、自動的にユーザを識別し、対応する画像を表示することにより、ユーザは自分が写った写真を容易に見つけることができる。また、ユーザが写っている画像は、十分な解像度を持つ。更に、複数の無線通信部５２を用いて、複数のユーザが同時にアクセスすることができると共に、ユーザ毎に表示の色分けなどが施されることから、一つの表示を共用しても、他のユーザとの混同を防ぐことができる。【００４５】
次に、画像閲覧システムにおける画像購入処理の動作について説明する。【００４６】
図９は、本実施の形態に係る画像購入処理の動作の一例を示すフローチャートである。まず、制御部５１は、購入する画像の媒体や大きさの選択の情報を表示部５３に表示させ、ユーザによる選択の操作を受け付ける（Ｓ２１）。ユーザにより選択された情報は、画像情報の購入仕様として画像管理装置２１に記録される。また、制御部５１は、選択された大きさに合わせて、画像の拡大や縮小を行う。画像が動画像である場合、ここで動画像の中から静止画像を選択するようにしても良い。また、購入する画像は、全体画像であっても座席画像であっても良い。次に、制御部５１は、選択された媒体が紙であるか否かの判断を行う（Ｓ２２）。【００４７】
媒体が紙である場合（Ｓ２２，Ｙ）、制御部５１は、画像の購入の予約の情報を表示部５３に表示させ、ユーザによる予約の操作を受け付ける（Ｓ３１）。次に、ユーザが画像受け取り所でＩＤカードを提示し、画像の代金を支払うと（Ｓ３２）、制御部５１は、購入する画像を画像印刷装置２４に印刷させ（Ｓ３３）、ユーザは印刷された画像を受け取り、このフローを終了する。【００４８】
一方、媒体が紙でなく、ファイルである場合（Ｓ２２，Ｙ）、制御部５１は、画像の代金の電子決済の情報を表示部５３に表示させ、ユーザによる決済指示の操作を受け付け、決済装置２３を用いて電子決済を行う（Ｓ４１）。電子決済が完了すると、制御部５１は、購入された画像のファイルをユーザの携帯電話やメモリ等へ出力し（Ｓ４２）、このフローを終了する。ここで、画像閲覧装置２２は、画像のファイルを外部へ出力するために、携帯電話との無線通信や携帯電話との赤外線通信を行う機能を備えても良いし、メモリに書き込むためのメモリスロットを備えても良い。【００４９】
なお、媒体が紙である場合、画像受け取り所での支払いを行うとしたが、媒体がファイルである場合と同様に、電子決済を行っても良い。【００５０】
上述した画像購入処理によれば、その場で購入意思の確認や決済を行うことができることから、ユーザが購入を忘れることがなく、購入を促進することができる。更に、無線通信タグとして非接触ＩＣカードを用いれば、既存の非接触ＩＣカード搭載携帯電話による電子決済を用いることができ、ユーザの利便性が向上する。【００５１】
なお、本実施の形態の画像閲覧システムは、ユーザが乗り物に乗っているときに撮影した画像を対象としたが、乗り物以外の撮影スポットやキャラクタが存在する場所で撮影した画像を対象としても良い。【００５２】
また、本実施の形態に係る画像閲覧装置は、情報処理装置に容易に適用することができ、情報処理装置の性能をより高めることができる。ここで、情報処理装置には、例えばパーソナルコンピュータ、サーバ等が含まれ得る。【００５３】
更に、画像閲覧装置を構成するコンピュータにおいて上述した各ステップを実行させるプログラムを、画像閲覧プログラムとして提供することができる。上述したプログラムは、コンピュータにより読取り可能な記録媒体に記憶させることによって、画像閲覧装置を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。【００５４】
なお、表示部は、実施の形態における制御部と表示部に対応する。また、決済指示部、画像出力部は、実施の形態における制御部に対応する。また、撮影ステップは、実施の形態におけるＩＤリーダと画像撮影装置と画像管理装置の処理に対応する。また、決済ステップは、実施の形態における決済装置の処理に対応する。また、画像出力ステップは、実施の形態における制御部または画像印刷装置の処理に対応する。また、決済部は、実施の形態における決済装置に対応する。
【産業上の利用可能性】
【００５５】
以上説明したように、本発明によれば、画像に写っている個人の特定を容易にする。
【図１】
0004708439.tif 000002
【図２】
0004708439.tif 000003
【図３】
0004708439.tif 000004
【図４】
0004708439.tif 000005
【図５】
0004708439.tif 000006
【図６】
0004708439.tif 000007
【図７】
0004708439.tif 000008
【図８】
0004708439.tif 000009
【図９】
0004708439.tif 000010